【事件の表示】
　平成　１年特許願第２８３１８１号「電気器具用データ入力兼制御装置」拒絶査定に対する審判事件〔平成　２年　７月１１日出願公開、特開平　２−１７８８１９、請求項の数（９）〕について、次のとおり審決する。
【結　論】
　原査定を取り消す。
　本願の発明は、特許すべきものとする。
【理　由】
　
１． 手続の経緯・本願発明
　本願は、平成1年11月1日（パリ条約による優先権主張、1988年11月4日、米国）の出願であって、その請求項1〜9に係る発明は、平成11年7月29日付け手続補正書によって補正された明細書の特許請求の範囲の請求項１〜９に記載された次のとおりのものである。
「１． 最下位桁および１つ以上の上位桁を含む複数の桁を有し、数値動作データを表示する電子式表示手段と、
増大キーおよび減少キーを含む複数のユーザ作動可能なキーを有するデータ入力手段と、
前記データ入力手段に応答する表示制御手段と、をそなえ、
前記表示制御手段は前記増大キーまたは減少キーの作動に応答して所定期間の一定の更新間隔で前記表示を周期的に更新する更新手段を有し、
　前記更新手段は、前記増大キーまたは減少キーが前記更新間隔より短い期間だけ作動されたとき、前記表示を比較的小さな第１の値だけ増加または低減させ、また前記増大キーまたは減少キーが前記更新間隔を越えて連続的に作動されているときは、前記最下位桁をゼロに切り替えた後、相次ぐ各更新間隔の終わりにおいて10で割り切れる第２の値ずつ前記表示を増加または低減させるように機能すること、を特徴とするデータ入力兼表示制御装置。
　２． 前記数値動作データが時間データであって、前記最下位桁が分を表しており、前記増大キーまたは減少キーが前記更新間隔より短い期間だけ作動されたときは、前記表示手段の表示が１分の変分値だけ増加または低減され、また前記増大キーまたは減少キーが前記更新間隔を越えて連続的に作動されているときは、前記表示手段の表示が10分の変分値ずつ増加または低減される請求項１記載のデータ入力兼表示制御装置。
　３． 前記数値動作データが温度データであって、前記最下位桁が度を表しており、前記増大キーまたは減少キーが前記更新間隔より短い期間だけ作動されたときは、前記表示手段の表示が５度の変分値だけ増加または低減され、また前記増大キーまたは減少キーが前記更新間隔を越えて連続的に作動されているときは、前記表示手段の表示が10度の変分値ずつ周期的に増加または低減される請求項１記載のデータ入力兼表示制御装置。
　４． 前記ユーザ作動可能なキーが第１および第２の機能キーを含み、前記第１および第２の機能キーがそれぞれ時間および温度選択キーであり、前記表示手段は前記時間選択キーが作動されたときは時間データを表す数値動作データを表示し、この場合、前記第１および第２の値はそれぞれ1分および10分であり、また前記温度選択キーが作動されたときは、前記表示手段は温度データを表す数値動作データを表示し、この場合の前記第1および第２の値はそれぞれ５度および10度である請求項１、２又は３記載のデータ入力兼表示制御装置。
　５.  前記更新間隔の期間が約0.45秒である請求項１乃至４のいずれか１項に記載のデータ入力兼表示制御装置。
　６.  前記更新間隔の期間を変更する手段が更に設けられている請求項１乃至５のいずれか１項に記載のデータ入力兼表示制御装置。
　７.  0.25秒および0.65秒の間の範囲から前記更新間隔の期間を選択する手段が更に設けられている請求項６記載のデータ入力兼表示制御装置。
　８． 0.45秒を含む所定の範囲内から前記更新間隔の期間を選択する手段が更に設けられている請求項６記載のデータ入力兼表示制御装置。
　９． 前記所定の範囲内の値には、0.25秒、0.35秒、0.45秒、0.55秒および0.65秒が含まれている請求項８記載のデータ入力兼表示制御装置。」
  なお、請求項９において「0.45、秒」とあるのは、「0.45秒、」の誤記であることが明らかであるので、請求項９を上記のように認定した。
　
２． 引用例　
  これに対し、原査定の拒絶の理由に引用された米国特許第4,372,054号明細書（クラス34/44、1983年2月8日。以下、「引用例」という。）には、次の発明が記載されている。　
　衣類乾燥機等のような機器10の表示制御装置14において、該表示制御装置は表示部を有する制御パネル16と、ユーザ作動可能な複数のタッチパッド15、タッチセンサ24、37等を含み、機器の作動前には前記表示制御装置の制御パネルの表示を空白にしておき（図2A）、機器の作動後に、自動運転モードAUTOと時間設定モードTIMEの選択、自動運転モードにおける乾燥状態の選択、時間設定モードにおける乾燥時間の設定、衣類の選択、開始時間の遅延設定等の制御ファンクションを、順次表示させて前記タッチパッド、タッチセンサにより選択或いは設定できるようにし（図2B〜2F）、前記時間設定モードにおける乾燥時間の設定時には、表示部に10分間隔で時間を連続表示してタッチセンサから指を離すことにより所望の時間を選択するようにし、前記開始時間の遅延設定時には、前記表示部に１時間間隔で時間を連続表示してタッチセンサから指を離すことにより所望の時間を選択するようにした表示制御装置。
　
３． 対比・判断
　請求項１に係る発明と上記引用例に記載された発明とを対比する。上記引用例に記載された発明における「表示部を有する制御パネル」、「ユーザ作動可能な複数のタッチパッド、タッチセンサ」、及び、「表示制御装置」は、それぞれ、請求項１に係る発明における「複数の桁を有する数値動作データを表示する表示手段」、「ユーザ作動可能なキーを有するデータを入力する手段」、及び、「表示制御手段」に対応するといえるとしても、引用例に記載された発明における「表示制御装置」は、タッチセンサによる時間設定時に時間を連続表示し該センサから指を離すことにより所望の時間を設定するものであり、請求項１に係る発明における更新手段と「キーの作動に応答して所定期間の一定の更新間隔で表示を更新する」点では共通するが、「更新手段によって、増大キーまたは減少キーが更新間隔より短い期間だけ作動されたとき、表示を比較的小さな第１の値だけ増加または低減させ、また前記増大キーまたは減少キーが前記更新間隔を越えて連続的に作動されているときは、前記最下位桁をゼロに切り替えた後、相次ぐ各更新間隔の終わりにおいて10で割り切れる第２の値ずつ前記表示を増加または低減させるように機能する」構成は、上記引用例に何ら記載、もしくは示唆されていない。また、この点を周知・慣用の技術であるとすることもできず、当業者が容易に想到できたものとする根拠もない。
  そして、請求項１に係る発明は、上記機能を有する更新手段を備えることにより、表示装置上の数値データを変えるときにキーを連続的に作動する場合、表示される数値（特に、最下位桁）が連続して変化することによる不快なちらつきを防止するという引用例にはみられない効果を奏するものである。
  したがって、請求項１に係る発明は、上記引用例に記載された発明に基づいて当業者が容易に発明をすることができたものとすることはできない。
  また、請求項２〜９に係る発明は、いずれも請求項１に係る発明を前提とするものであるから、上記のように請求項１に係る発明が引用例に記載された発明に基づいて当業者が容易に発明をすることができたものとすることができない以上、請求項２〜９に係る発明は、上記引用例に記載された発明に基づいて当業者が容易に発明をすることができたものとすることはできない。
　
４． むすび
  以上のとおりであるから、請求項１〜９に係る発明は、上記引用例に記載された発明に基づいて当業者が容易に発明をすることができたものとすることはできない。
  また、他に本願を拒絶すべき理由を発見しない。
  よって、結論のとおり審決する。